(57)【特許請求の範囲】
【請求項１】
ＣＤ等の情報記録媒体と、該情報記録媒体に関する小冊子と、前記情報記録媒体に関する表示カードと、前記情報記録媒体のタイトル等が表示された表示片とを収納する収納ケースであって、
矩形状に形成され折れ線部を介して折り畳み自在な第１シート部材と、
該第１シート部材の裏面に接着され前記表示カードが視認できる収納部が形成される第２シート部材と、
前記第１シート部材の表面に接着され前記小冊子の表紙部を差し込み可能なポケット部が形成される第３シート部材と、
前記第１シート部材の表面に接着され前記小冊子の裏表紙部を差し込み可能なポケット部が形成される第４シート部材と、
該第４シート部材に接着される保護シート部材と、
該保護シート部材に接着され前記情報記録媒体の収納部が形成される第５シート部材と、
前記第１シート部材に接着され前記表示片が視認できる収納部が形成される第６シート部材とからなり、
前記第２シート部材は、コ字状の接着部と前記第１シート部材のコ字状の接着部とを重ね合わせて接着して、上部から前記表示カードを収納できるように形成し、
前記第６シート部材は、長方形状のシート材を折れ線部を中心に二つ折りにし、それぞれ重なり合う側部の接着部同士と底部の接着部同士とを接着して、上部から前記表示片を収納できるように形成し、且つ裏面側の接着部と、前記第１シート部材の他端側に沿って設けられる接着部とを重ね合わせて接着して形成すること
を特徴とする収納ケース。
【請求項２】
前記第１、第２、第３、第４、第５、第６シート部材は、透明又は半透明な軟質の合成樹脂材で形成されることを特徴とする請求項１に記載の収納ケース。
【請求項３】
前記第２、第５、第６シート部材には、切欠部を設けたことを特徴とする請求項１又は２に記載の収納ケース。
【請求項４】
保護シート部材は、不織布で形成されることを特徴とする請求項１に記載の収納ケース。
【請求項５】
前記第６シート部材は、前記第１シート部材を折り畳んだ時に、該第１シート部材の端部を保持して折り畳み状態を維持することを特徴とする請求項１、２又は３に記載の収納ケース。
【請求項６】
前記収納ケースの端部には、綴じ込み手段を設けたことを特徴とする請求項１、２、３、４又は５に記載の収納ケース。
【発明の詳細な説明】
【０００１】
【発明の属する技術分野】
本発明は、主にＣＤ（コンパクト・ディスク）やＤＶＤ（デジタル・ビデオ・ディスク）などの情報記録媒体を納める収納ケースに関するものである。
【０００２】
【従来の技術】
従来、ＣＤショップやレコード販売店等で市販されている音楽ＣＤ等は、一般に透明で硬質な合成樹脂材で形成されたＣＤケースに収納され、このＣＤケースが透明なセロファンで密着状態に包装されて販売されている。
【０００３】
この一般に使用される標準規格のＣＤケース１は、図１２（イ）に示すように、ケース本体２と、支軸部３を中心にして開閉自在な蓋体４とを有している。また、ケース本体２の内側には、ＣＤ５を嵌め込んで保持するトレー部材６が配設されており、このトレー部材６は、一般には白色又は着色された硬質の合成樹脂材で形成されている。
【０００４】
そして、蓋体４の内側には、冊子状の歌詞カード７が保持用突起８で保持されており、また、トレー部材６とケース本体２との間には図示しない裏ジャケットが挟持されている。歌詞カード７には、収録曲の歌詞などが印刷されており、裏ジャケットには、タイトル、収録曲名、アーティストの写真、様々なイラスト、又は芸術的なデザイン等が描かれている。
【０００５】
また、ＣＤケース１の側部１ａには、図１２（ロ）に示すような表示片９（一般に「帯」と称されている）を宛って、その状態で包装用のセロファン（図示せず）でピッタリと包装して陳列、販売している。表示片９は、コ字状に折曲した縦長の紙片で形成され、その表面には、タイトル、アーティスト名、収録曲名、定価、バーコード等が表示されている。
【０００６】
【発明が解決しようとする課題】
この従来例のＣＤケース１においては、厚さが約１０ｍｍ程度あるので、複数のＣＤケースを保管したり携帯する場合には、意外と保管スペースが必要であり、また、嵩張って邪魔であるという欠点がある。
【０００７】
これに対して、複数のＣＤを収納できるバインダー等が市販されてはいるが、このバインダーには、ＣＤ５と一緒に歌詞カード７と裏ジャケット等とを収納するスペースが存在しない。ファンの心理としては、好きなアーティストの音楽を聞きながらジャケットの写真を見て、歌詞を読むことが楽しみの一つであり、従って、ＣＤ５と歌詞カード７と裏ジャケット等は一緒に保管しておきたいものである。しかしながら、市販のバインダーでは、ＣＤ５と歌詞カード７と裏ジャケットとを一緒にしておきたいという要求に応えられない。
【０００８】
更に、従来のＣＤケース１では、購入後に包装用のセロファンを破って中のＣＤ５を取り出すが、この後、表示片９を収納しておくスペースはなく破棄するか又は別途に保管するしかないので、表示片９は厄介な存在であった。
【０００９】
従って、従来例におけるＣＤケース１においては、複数のＣＤケースを保管又は携帯する際に、小スペースで嵩張らないようにすることと、ＣＤ５と共に歌詞カード７と裏ジャケットと表示片９とを一緒に収納できるようにすることとに解決しなければならない課題を有している。
【００１０】
【課題を解決するための手段】
前記従来例の課題を解決する具体的手段として本発明は、ＣＤ等の情報記録媒体と、該情報記録媒体に関する小冊子と、前記情報記録媒体に関する表示カードと、前記情報記録媒体のタイトル等が表示された表示片とを収納する収納ケースであって、矩形状に形成され折れ線部を介して折り畳み自在な第１シート部材と、該第１シート部材の裏面に接着され前記表示カードが視認できる収納部が形成される第２シート部材と、前記第１シート部材の表面に接着され前記小冊子の表紙部を差し込み可能なポケット部が形成される第３シート部材と、前記第１シート部材の表面に接着され前記小冊子の裏表紙部を差し込み可能なポケット部が形成される第４シート部材と、該第４シート部材に接着される保護シート部材と、該保護シート部材に接着され前記情報記録媒体の収納部が形成される第５シート部材と、前記第１シート部材に接着され前記表示片が視認できる収納部が形成される第６シート部材とからなり、前記第２シート部材は、コ字状の接着部と前記第１シート部材のコ字状の接着部とを重ね合わせて接着して、上部から前記表示カードを収納できるように形成し、前記第６シート部材は、長方形状のシート材を折れ線部を中心に二つ折りにし、それぞれ重なり合う側部の接着部同士と底部の接着部同士とを接着して、上部から前記表示片を収納できるように形成し、且つ裏面側の接着部と、前記第１シート部材の他端側に沿って設けられる接着部とを重ね合わせて接着して形成することを特徴とする収納ケースを提供するものである。
【００１１】
また、前記第１、第２、第３、第４、第５、第６シート部材は、透明又は半透明な軟質の合成樹脂材で形成される構成としたものであり、そして、前記第２、第５、第６シート部材には、切欠部を設けた構成としたものであり、更に、前記保護シート部材は、不織布で形成される構成としたものであり、また、前記第６シート部材は、前記第１シート部材を折り畳んだ時に、該第１シート部材の端部を保持して折り畳み状態を維持する構成としたものであり、そして、前記収納ケースの端部には、綴じ込み手段を設けた構成としたものである。
【００１２】
本発明に係る収納ケースにおいては、シート部材を接着していることから、厚さを極めて薄く形成することができるので、複数の収納ケースを保管又は携帯しても小スペースで嵩張らない。
特に、収納ケースを軟質の合成樹脂材で形成した場合には、全体にソフトな感触に形成でき、従来例のＣＤケースのようにゴツゴツして嵩張る感じがない。
また、ＣＤと共に歌詞カード等の小冊子と、裏ジャケット等の表示カードと、帯等の表示片とを一緒に保管できる。
更に、各ポケット部に小冊子の表紙部及び裏表紙部を差し込んで各頁片をポケット部の外に出すので、小冊子を取り出さなくても、各頁片をめくって読むことができる。
【００１３】
【発明の実施の形態】
次に、本発明の実施の形態について図面を参照しながら説明する。まず、図１から図４において、符号１１はＣＤ等の情報記録媒体と小冊子と表示カードと表示片とを収納する収納ケースを示し、この収納ケース１１は、矩形状に形成される第１シート部材１２と、この第１シート部材１２の裏面に接着される第２シート部材１３と、前記第１シート部材１２の表面に接着される第３シート部材１４及び第４シート部材１５と、この第４シート部材１５に接着される保護シート部材１６と、この保護シート部材１６に接着される第５シート部材１７と、前記第１シート部材１２に接着される第６シート部材１８とから構成されている。
【００１４】
第１シート部材１２、第２シート部材１３、第３シート部材１４、第４シート部材１５、第５シート部材１７、及び第６シート部材１８は、いずれも透明又は半透明な軟質の合成樹脂材で形成されており、全体にソフトな感触に形成されると共に、収納された表示カードや表示片等を外側から視認することができる。
なお、上記各シート部材は、紙製シート部材や不織布製シート部材等の種々な材質のものでもよい。
【００１５】
第１シート部材１２は、横長で矩形状に形成され、中央位置からやや一端側１２ａに寄った位置に、長手方向と直交する折れ線部１９が形成されており、この折れ線部を１９を介して折り畳み自在に形成されている。
【００１６】
第２シート部材１３は、図５に示すように、第１シート部材１２の折れ線部１９から他端側１２ｂに渡って配設される。つまり、第２シート部材１３のコ字状の接着部１３ａ、１３ｂ、１３ｃと第１シート部材１２のコ字状の接着部２３ａ、２３ｂ、２３ｃとを重ね合わせて熱溶着又は縫合等の種々の手段で接着され、上部から表示カード２０を収納できるように収納部２１を形成している。収納部２１に収納された表示カード２０は、図３に示すように収納ケース１１の外側から視認できる。
また、第２シート部材１３の上端縁には、半円形状の切欠部２２が形成されており、表示カー２０の収納又は取り出しが容易に行えるようになっている。
なお、表示カード２０は、収納するＣＤに関する情報や、写真、イラスト又は種々のデザイン等が表示された紙製カード又は合成樹脂製カードであり、具体的には、音楽ＣＤの裏ジャケット等である。
【００１７】
第３シート部材１４は、図６に示すように、第１シート部材１２の一端側１２ａに沿って配設される。つまり、第３シート部材１４のコ字状の接着部１４ａ、１４ｂ、１４ｃと、第１シート部材１２のコ字状の接着部２４ａ、２４ｂ、２４ｃとを重ね合わせて熱溶着又は縫合等の種々の手段で接着され、側部から小冊子２６の表紙部２６ａを差し入れできるようにポケット部２７を形成している。ポケット部２７に差し入れた表紙部２６ａは、図１に示すように収納ケース１１の外側から視認できる。
なお、小冊子２６は、収納するＣＤについての文章が記載された複数枚の頁片２６ｃ又は一枚の紙片からなり、具体的には、音楽ＣＤの歌詞カード等である。
【００１８】
第４シート部材１５は、図６に示すように、折れ線部１９から第１シート部材１２の他端側１２ｂ近傍に渡って配設される。つまり、第４シート部材１５のコ字状の接着部１５ａ、１５ｂ、１５ｃと、第１シート部材１２のコ字状の接着部２５ａ、２５ｂ、２５ｃとを重ね合わせて熱溶着又は縫合等の種々の手段で接着され、側部から小冊子２６の裏表紙部２６ｂａを差し入れできるようにポケット部２８を形成している。
【００１９】
保護シート部材１６は、不織布又は織布で形成されており、図７に示すように、第４シート部材１５と略同形状に形成されており、第４シート部材１５と保護シート部材１６とを重ね合わせて、熱溶着、縫合又は接着剤を用いる等の種々の手段で全面的に接着している。
【００２０】
第５シート部材１７は、図８に示すように、側部にやや大きめの切欠部２９が形成されていると共に、保護シート部材１６と略重なり合う形状に形成されている。そして、第５シート部材１７のコ字状の接着部１７ａ、１７ｂ、１７ｃと、保護シート部材１６のコ字状の接着部１６ａ、１６ｂ、１６ｃとを重ね合わせて熱溶着又は縫合等の種々の手段で接着し、切欠部２９側からＣＤ３０を収納できるように収納部３１を形成している。
なお、切欠部２９の存在によってＣＤ３０の収納又は取り出しが容易に行えるようになっている。また、前記保護シート部材１６の存在によりＣＤ３０を保護し傷をつけない。
【００２１】
第６シート部材１８は、図４及び図１０に示すように、長方形状のシート材を折れ線部１８ｄを中心に二つ折りにし、それぞれ重なり合う側部の接着部１８ａ、１８ａ同士と底部の接着部１８ｂ、１８ｂ同士を熱溶着又は縫合等の種々の手段で接着して、上部から表示片３２を収納できるように収納部３３を形成している。収納部３３に収納された表示片３２は、図１及び図２に示すように収納ケー１１の外側から視認できる。
また、第６シート部材１８の上端縁には、半円形状の切欠部３４が形成されており、表示片３２の収納又は取り出しが容易に行えるようになっている。
【００２２】
このように形成された第６シート部材１８は、図９に示すように、裏面側の略半分の面積からなる接着部１８ｃと、第１シート部材１２の他端側１２ｂに沿って設けられる接着部１２ｃとを重ね合わせて熱溶着等の種々の手段で接着されている。
そして、第６シート部材１８の折れ線部１８ｄ側は、図１に示すように、第１シート部材１２を折り畳んだ時に、該第１シート部材１２の一端側１２ａを内側に保持して折り畳み状態を維持することができるようになっている。従って、収納ケース１１が不用意に開かない。
【００２３】
なお、表示片３２は、一般に「帯び」と称する図１０、図１２（ロ）に示した紙片だけでなく、縦長のカード状紙片、又は合成樹脂製カード等であり、また、表示片３２には、収納する情報記録媒体のタイトル、定価、又はバーコード等の表示、あるいは、使用者が任意に作製した分類表やイラスト等が描かれている。
【００２４】
次に、収納ケースの他の実施例を図１１に示す。この収納ケース３５は、他端側１２ｂに綴じ込み片３６（綴じ込み手段）が設けられている。この綴じ込み片３６は、図示しない別体のバインダー等に綴じ込むためのものであり、小孔３７に取付金具を挿通させて綴じ込むことができるようになっている。
【００２５】
以上のような収納ケース１１は、各シート部材を接着していることから、厚さを極めて薄く形成できて小スペースで嵩張らない。また、ＣＤ３０と共に小冊子２６（歌詞カード等）と表示カード２０（裏ジャケット等）と表示片３２とを一緒に保管できるので便利である。
なお、前記第１、第２、第３、第４、第５、第６シート部材及び保護シート部材の接着は、熱溶着、高周波溶着、超音波溶着、糸や紐を用いた縫合、接着剤や両面テープを用いた接着等の種々の手段で強固に取り付けられるのでシート部材同士が剥がれ難い。
【００２６】
【発明の効果】
以上説明したように本発明に係る収納ケースは、ＣＤ等の情報記録媒体と、該情報記録媒体に関する小冊子と、前記情報記録媒体に関する表示カードと、前記情報記録媒体のタイトル等が表示された表示片とを収納する収納ケースであって、矩形状に形成され折れ線部を介して折り畳み自在な第１シート部材と、該第１シート部材の裏面に接着され前記表示カードが視認できる収納部が形成される第２シート部材と、前記第１シート部材の表面に接着され前記小冊子の表紙部を差し込み可能なポケット部が形成される第３シート部材と、前記第１シート部材の表面に接着され前記小冊子の裏表紙部を差し込み可能なポケット部が形成される第４シート部材と、該第４シート部材に接着される保護シート部材と、該保護シート部材に接着され前記情報記録媒体の収納部が形成される第５シート部材と、前記第１シート部材に接着され前記表示片が視認できる収納部が形成される第６シート部材とからなり、前記第２シート部材は、コ字状の接着部と前記第１シート部材のコ字状の接着部とを重ね合わせて接着して、上部から前記表示カードを収納できるように形成し、前記第６シート部材は、長方形状のシート材を折れ線部を中心に二つ折りにし、それぞれ重なり合う側部の接着部同士と底部の接着部同士とを接着して、上部から前記表示片を収納できるように形成し、且つ裏面側の接着部と、前記第１シート部材の他端側に沿って設けられる接着部とを重ね合わせて接着して形成することによって、シート部材を接着していることから、厚さを極めて薄く形成することができるので、複数の収納ケースを保管又は携帯しても小スペースで嵩張らない。
また、ＣＤと共に歌詞カード等の小冊子と、裏ジャケット等の表示カードと、帯等の表示片とを一緒に保管できるので便利である。
更に、各ポケット部に小冊子の表紙部及び裏表紙部を差し込んで各頁片をポケット部の外に出すので、小冊子を取り出さなくても、各頁片をめくって読むことができるという種々の優れた効果を奏する。
【００２７】
また、第１、第２、第３、第４、第５、第６シート部材は、透明又は半透明な軟質の合成樹脂材で形成されることによって、全体にソフトな感触に形成でき、従来例のＣＤケースのようにゴツゴツして嵩張る感じがない。更には、収納部及びポケット部に収納した裏ジャケット、歌詞カード及び帯を収納ケースの外側から視認することができるという種々の優れた効果を奏する。
【００２８】
そして、第２、第５、第６シート部材には、切欠部を設けたことによって、裏ジャケット、ＣＤ、表示片の収納又は取り出しが容易に行えるという優れた効果を奏する。
【００２９】
更に、保護シート部材は、不織布で形成されることによって、ＣＤを保護し傷をつけないという優れた効果を奏する。
【００３０】
また、第６シート部材は、前記第１シート部材を折り畳んだ時に、該第１シート部材の端部を保持して折り畳み状態を維持することによって、収納ケースが不用意に開かないという優れた効果を奏する。
【００３１】
そして、収納ケースの端部には、綴じ込み手段を設けたことによって、複数の収納ケースを別体のバインダー等に綴じ込むことができるという優れた効果を奏する。
【図面の簡単な説明】
【図１】本発明に係る収納ケースの斜視図である。
【図２】本発明に係る収納ケースを開いた状態の斜視図である。
【図３】本発明に係る収納ケースを裏面側から見た状態の斜視図である。
【図４】各シート部材をそれぞれ分離して略示的に示す説明図である。
【図５】第１シート部材と第２シート部材とを分離し且つ裏ジャケットを収納する状態を略示的に示す説明図である。
【図６】第１シート部材と第３及び第４シート部材とを分離し且つ歌詞カードを収納する状態を略示的に示す説明図である。
【図７】第４シート部材と保護シート部材とを分離して略示的に示す説明図である。
【図８】保護シート部材と第５シート部材とを分離し且つＣＤを収納する状態を略示的に示す説明図である。
【図９】第１シート部材と一部を破断させた第６シート部材とを分離して略示的に示す説明図である。
【図１０】第６シート部材に表示片を収納する状態を略示的に示す説明図である。
【図１１】他の実施例に係る収納ケースの斜視図である。
【図１２】（イ）従来例に係るＣＤケースの斜視図である。（ロ）表示片の斜視図である。
【符号の説明】
１    ＣＤケース
１ａ  側部
２    ケース本体
３    支軸部
４    蓋体
５    ＣＤ
６    トレー部材
７    歌詞カード
８    保持用突起
９    表示片
１１  収納ケース
１２  第１シート部材
１２ａ一端側
１２ｂ他端側
１２ｃ接着部
１３  第２シート部材
１３ａ、１３ｂ、１３ｃ接着部
１４  第３シート部材
１４ａ、１４ｂ、１４ｃ接着部
１５  第４シート部材
１５ａ、１５ｂ、１５ｃ接着部
１６  保護シート部材
１６ａ、１６ｂ、１６ｃ接着部
１７  第５シート部材
１７ａ、１７ｂ、１７ｃ接着部
１８  第６シート部材
１８ａ、１８ｂ接着部
１８ｃ接着部
１８ｄ折れ線部
１９  折れ線部
２０  表示カード
２１  収納部
２２  切欠部
２３ａ、２３ｂ、２３ｃ接着部
２４ａ、２４ｂ、２４ｃ接着部
２５ａ、２５ｂ、２５ｃ接着部
２６  小冊子
２６ａ表紙部
２６ｂ裏表紙部
２６ｃ頁片
２７  ポケット部
２８  ポケット部
２９  切欠部
３０  ＣＤ
３１  収納部
３２  表示片
３３  収納部
３４  切欠部
３５  収納ケース
３６  綴じ込み片（綴じ込み手段）
３７  小孔
【図１】
0003975106.tif 000002
【図２】
0003975106.tif 000003
【図３】
0003975106.tif 000004
【図４】
0003975106.tif 000005
【図５】
0003975106.tif 000006
【図６】
0003975106.tif 000007
【図７】
0003975106.tif 000008
【図８】
0003975106.tif 000009
【図９】
0003975106.tif 000010
【図１０】
0003975106.tif 000011
【図１１】
0003975106.tif 000012
【図１２】
0003975106.tif 000013